(57)【要約】【課題】中蓋を取り付ける際に収容部内に気流が発生するのを抑えることができる。【解決手段】開口が形成された収容部を有する容器本体１と、容器本体１に螺着されて開口を覆いかつ収容部の内外を連通する貫通孔が形成された中蓋２と、中蓋２を覆う外蓋４とを備えるとともに、中蓋２に設けられ容器本体１の凹部１３に係止されることで中蓋２および容器本体１の容器軸回りの相対的な回転移動を規制する規制部材３とを備える。【選択図】図１
2010273977.tif 000002
【特許請求の範囲】
【請求項１】
開口が形成された収容部を有する容器本体と、
前記容器本体に螺着されて前記開口を覆い、かつ前記収容部の内外を連通する連通孔が形成された中蓋と、
前記中蓋を覆う外蓋と、を備えるとともに、
前記中蓋に設けられ、前記容器本体の係止部に係止されることで前記中蓋および前記容器本体の容器軸回りの相対的な回転移動を規制する規制部材と、を備えるコンパクト容器。
【請求項２】
前記係止部は、前記規制部材が内部に配置される凹部である
請求項１に記載のコンパクト容器。
【請求項３】
前記規制部材は、前記凹部内に配置された状態で前記容器本体の表面と面一状態になるように形成されている
請求項２に記載のコンパクト容器。
【請求項４】
前記係止部は、前記規制部材の係止状態を保持する保持部を有する
請求項１から請求項３のうちいずれか一項に記載のコンパクト容器。
【発明の詳細な説明】
【技術分野】
【０００１】
本発明は、例えば化粧料等を収容して利用されるコンパクト容器に関する。
【背景技術】
【０００２】
パウダー等の化粧料をパフ等の塗布具とともに収容するコンパクト容器が知られている。コンパクト容器は、化粧料及び塗布具を収容する容器本体と、当該容器本体と回転軸を介して連結された外蓋とを備えている（例えば、特許文献１参照。）。
【０００３】
容器本体には化粧料を収容する収容部が設けられている。この収容部は、例えば化粧料の通過孔を有する中蓋によって覆われている。中蓋は、例えば皿状に形成されており、外蓋を閉じた状態で当該外蓋との間に塗布具を収納する空間が形成される。
【０００４】
このように構成されたコンパクト容器を用いる場合、外蓋と中蓋との間に塗布具を収納させた状態で外蓋を閉じ、コンパクト容器を倒立させる。この動作により、収容部内の化粧料が通過孔を通過し、化粧料を塗布具に付着する。化粧料を塗布具に付着させた後は、外蓋を開け、化粧料の付着した塗布具を用いれば良い。
【０００５】
上記の構成においては、コンパクト容器を倒立させる際、あるいは、コンパクト容器をハンドバッグなどに入れて持ち運ぶ際などに中蓋が外れないようにするため、例えば中蓋が収容部内に圧入されている。
【先行技術文献】
【特許文献】
【０００６】
【特許文献１】特許第３８４７８７４号公報
【発明の概要】
【発明が解決しようとする課題】
【０００７】
しかしながら、上記構成においては、中蓋の圧入時に収容部内の気圧が急激に高められることに起因して、収容部内の化粧料等が巻き上げられて収容部内から飛散してしまう可能性がある。
【０００８】
上記のような事情に鑑み、本発明は、中蓋を取り付ける際に収容部内に気流が発生するのを抑えることができるコンパクト容器を提供することを目的とする。
【課題を解決するための手段】
【０００９】
本発明に係るコンパクト容器は、開口が形成された収容部を有する容器本体と、前記容器本体に螺着されて前記開口を覆い、かつ前記収容部の内外を連通する連通孔が形成された中蓋と、前記中蓋を覆う外蓋と、を備えるとともに、前記中蓋に設けられ、前記容器本体の係止部に係止されることで前記中蓋および前記容器本体の容器軸回りの相対的な回転移動を規制する規制部材と、を備える。
【００１０】
本発明によれば、容器本体と中蓋とが螺合によって固定される構成になっているため、中蓋の取り付け時には、圧入する必要が無い。これにより、収容部内の気圧が急激に高められるのを回避することができるため、収容部から外部へ抜ける気流の発生を抑制することができる。
【００１１】
加えて、本発明によれば、規制部材が容器本体の係止部に係止されることによって中蓋および容器本体の容器軸回りの相対的な回転移動が規制されるため、螺合された状態が維持されることとなり、螺合状態の緩みを抑制することができる。これにより、中蓋と容器本体とを確実に固定することができる。
【００１２】
さらに、本発明によれば、規制部材を係止部に係止させることで中蓋および容器本体の容器軸回りの相対的な回転移動が規制されるため、複雑な機構を用いることなく、前述の作用効果が奏功されることとなる。
【００１３】
上記のコンパクト容器において、前記係止部は、前記規制部材が内部に配置される凹部である。  
この構成によれば、規制部材を凹部内に配置することで、中蓋および容器本体の容器軸回りの相対的な回転移動を規制するため、簡単な操作で前述の作用効果が奏功されることとなる。
【００１４】
上記のコンパクト容器において、前記規制部材は、前記凹部内に配置された状態で前記容器本体の表面と面一状態になるように形成されている。  
この構成によれば、規制部材に外部の他部材が引っ掛かり、規制部材が凹部から外れるのを防ぐことができるとともに、規制部材を設けたことによりコンパクト容器の見映えが悪くなるのを抑えることができる。
【００１５】
上記のコンパクト容器において、前記係止部は、前記規制部材の係止状態を保持する保持部を有する。  
この構成によれば、中蓋と容器本体との間の相対的な回転移動が、規制部材及び保持部によって２重にロックされることになる。これにより、中蓋と容器本体との間をより強固に固定することができる。
【発明の効果】
【００１６】
本発明によれば、中蓋を取り付ける際に、収容部内に気流が発生するのを抑えることができる。
【図面の簡単な説明】
【００１７】
【図１】本発明の第１実施形態に係るコンパクト容器の構成を示す平面図。
【図２】図１におけるＡ−Ａ断面に沿った構成を示す図。
【図３】図１におけるＢ−Ｂ断面に沿った構成を示す図。
【図４】図１に示すコンパクト容器の一部を拡大して示す図。
【図５】図４におけるＣ−Ｃ断面に沿った構成を示す図。
【図６】本発明の第２実施形態に係るコンパクト容器の構成を示す平面図。
【図７】図６に示すコンパクト容器の一部を拡大して示す図。
【図８】図７におけるＤ−Ｄ断面に沿った構成を示す図。
【発明を実施するための形態】
【００１８】
［第１実施形態］  
以下、図面を参照して、本発明の第１実施形態を説明する。  
図１は、本実施形態に係るコンパクト容器ＣＰの構成を示す平面図である。図２は、図１におけるＡ−Ａ断面に沿った構成を示す図である。図３は、図１におけるＢ−Ｂ断面に沿った構成を示す図である。
【００１９】
図１から図３に示すように、本実施形態に係るコンパクト容器ＣＰは、容器本体１、中蓋２、規制部材３及び外蓋４を備えている。これらのうち容器本体１、中蓋２及び外蓋４はそれぞれ、筒状に形成されるとともに、容器軸と同軸に配設されている。以下、この容器軸を容器軸Ｌ１といい、容器軸Ｌ１方向に沿って外蓋４側を「上」側と表記し、容器軸Ｌ１方向に沿って容器本体１側を「下」側と表記し、容器軸Ｌ１に直交する方向を「径方向」と表記し、容器軸Ｌ１を中心に周回する方向を「周方向」と表記する。
【００２０】
なお本実施形態では、コンパクト容器ＣＰとしてパウダーなどの粉末化粧料の容器を例に挙げて説明するが、これに限られることは無く、例えば粉末の顔料や医療用薬剤等の収容容器であっても構わない。また、ファンデーションなど粉末以外の化粧料や他の薬剤などを収容する場合の容器であってもよい。
【００２１】
容器本体１は、有底筒状に形成されており、平面視形状は角部が凸曲線を呈する矩形状となっている。容器本体１の内面は、上面視容器軸Ｌ１を中心とした円形状に形成されている。この容器本体１の内部空間が、収容部１０となっている。収容部１０には、例えばパウダー、ファンデーションなどの化粧料や、当該化粧料の詰め替え用容器などが収容されるようになっている。なお、収容部１０の上端部が容器本体１の外部に連通する開口１０ａとなっている。
【００２２】
容器本体１の上面１ａには、容器軸Ｌ１と同軸に配置された円筒状の本体側接続部１１が上方に向けて突設されている。本体側接続部１１の内面１１ｂは、上面視容器軸Ｌ１を中心とした円形状に形成されており、収容部１０の内面１０ｂと段差無く連続している。本体側接続部１１の外面１１ａには、ネジ山１１ｃが形成されている。
【００２３】
容器本体１の上面１ａのうち、本体側接続部１１よりも径方向の外側に位置する縁部１２は、径方向に沿って延びる平坦面となっている。本実施形態では、縁部１２の４つの角部のうち、対角をなす２つの角部には、凹部１３が形成されている。各凹部１３は、平面視で例えば矩形に形成されており、当該矩形の対向する２辺が径方向に沿うように配置されている。
【００２４】
図４は、コンパクト容器ＣＰの縁部１２の一部分（角部）を拡大して示す図である。図５は、図４におけるＣ−Ｃ断面に沿った構成を示す図である。  
図４及び図５に示すように、各凹部１３の内面のうち径方向の外側に位置しかつ径方向の内側を向く面１３ａには、径方向の内側に向けて突出する段部１４が形成されている。凹部１３の内面のうち径方向の内側に位置しかつ径方向の外側を向く面１３ｂには、径方向の外側へ突出する凸部１５が形成されている。凸部１５は、断面視で例えば矩形に形成されている。
【００２５】
凹部１３の底部１３ｃには、孔部１６が形成されている。孔部１６は、容器本体１の底面１ｂに開口している。このため、容器本体１の底面１ｂの下側の空間と凹部１３の内部の空間とが当該孔部１６を介して連通されている。孔部１６の内面のうち径方向の内側に位置しかつ径方向の外側を向く部分１６ａが、凹部１３の内面のうち径方向の内側に位置しかつ径方向の外側を向く面１３ｂに段差無く連続している。
【００２６】
図１から図３に示されるように、中蓋２は、容器本体１に固定され、収容部１０の開口１０ａを塞ぐ蓋部材である。中蓋２は、例えば平面視で円形に形成されている。中蓋２は、筒状部２０及び中蓋側接続部２１を有している。
【００２７】
筒状部２０は有底筒状に形成され、筒状部２０の下側が収容部１０の開口１０ａ内に挿入されている。筒状部２０の外面２０ａと収容部１０の内面１０ｂとの間には隙間が形成されている。筒状部２０の内面２０ｂ及び底部２０ｃによって囲まれた空間は、例えば化粧料などを付着させる塗布具Ｐ等を収納可能な収納部２２となっている。
【００２８】
筒状部２０の底部２０ｃは、径方向に沿ってほぼ平行に延在している。底部２０ｃには、複数の貫通孔２３が形成されている。各貫通孔２３は、平面視で例えば円形に形成されている。複数の貫通孔２３は、塗布具Ｐの収容される領域に重なる位置、例えば平面視で底部２０ｃの中央部に配置されている。複数の貫通孔２３を介して容器本体１の収容部１０と筒状部２０の収納部２２とが連通されている。
【００２９】
中蓋側接続部２１は、上端部が筒状部２０の外面２０ａに接続されるとともに、下方に向けて延びる円筒状に形成されていて、本体側接続部１１を上方および径方向の外側から覆っている。
【００３０】
図５に示すように、中蓋側接続部２１の内面２１ｂには、ネジ山２１ｃが形成されている。ネジ山２１ｃは、容器本体１の本体側接続部１１に形成されたネジ山１１ｃに噛み合うように形成されている。中蓋側接続部２１のネジ山２１ｃと本体側接続部１１のネジ山１１ｃとを噛み合わせることにより、中蓋２は容器本体１に螺着されて固定されている。
【００３１】
図５に示すように、本体側接続部１１と中蓋側接続部２１との間には、パッキン２４が設けられている。本実施形態では、当該パッキン２４は中蓋側接続部２１と筒状部２０との間に保持されている。本体側接続部１１の上端がパッキン２４に食い込んだ状態で当該パッキン２４に密着している。これにより、中蓋側接続部２１の内面２１ｂと筒状部２０の外面２０ａとの間が気密に保持されている。
【００３２】
図１、図４及び図５に示されるように、規制部材３は、中蓋側接続部２１の外面２１ａに接続され、容器本体１の凹部１３内に着脱可能に配置されている。規制部材３は、接続部３０及び嵌入部３１を有している。
【００３３】
接続部３０は、中蓋２と嵌入部３１とを接続する部分である。接続部３０は、中蓋側接続部２１の外面２１ａの下端部から径方向の外側に向けて一体に延設されており、その延在する方向に直交する方向に延びる溝３０ａが形成されている。接続部３０は、当該溝３０ａが設けられた位置で上下方向に弾性的に折り曲げ可能に形成されている。
【００３４】
嵌入部３１は、縦断面視で概ねＬ字状、上面視で矩形状に形成されている。嵌入部３１は、接続部３０を溝３０ａ回りに下方に向けて折り曲げることで容器本体１の凹部１３内に配置されている。
【００３５】
図５に示すように、嵌入部３１の面のうち、平面視Ｌ字状をなし径方向に沿って延びる側面３１ｓ（図４参照）は、凹部１３の内面のうち、径方向に沿って延びる側面１３ｓ（図４参照）に当接している。嵌入部３１の側面３１ｓと凹部１３の側面１３ｓとが当接していることにより、嵌入部３１の容器本体１に対する容器軸Ｌ１回りの移動が規制されるようになっている。
【００３６】
嵌入部３１は、当接部３２及び係合部３３を有している。当接部３２はＬ字の一方の直線部分に相当する部分であり、図５に示されるように、接続部３０が溝３０ａ回りに折り曲げられて嵌入部３１が凹部１３内に配置された状態で、径方向に沿って延在している。当接部３２における径方向の外端部は、凹部１３内の段部１４上に配置されている。当接部３２のうち段部１４との当接面の反対側（図５では上側）の面は、容器本体１の上面１ａから露出している。この露出した面は、容器本体１の上面１ａに突出する部分が無いように、例えば平坦に形成されている。この露出した面は、容器本体１の上面１ａとの間で例えば面一状態となるように形成されている。
【００３７】
係合部３３は、Ｌ字の他方の直線部分に相当する部分であり、図５に示されるように、接続部３０が溝３０ａ回りに折り曲げられて嵌入部３１が凹部１３内に配置された状態で、上下方向に沿って延在している。係合部３３において径方向の内側を向く面には、凹部１３の前記面１３ｂに形成された凸部１５が係合される凹部が形成されている。係合部３３は、当該凹部を介して凸部１５に係合されている。この係合により、嵌入部３１が凹部１３内に挿入された状態が保持されることになる。このように凸部１５は、規制部材３と凹部１３との係止状態を保持する保持部となっている。また、凸部１５が係合部３３に係合されることにより、中蓋２の上方向への移動が規制されるようにもなっている。このため、凸部１５は、中蓋２と容器本体１との間の周方向への相対移動を間接的に規制していることにもなる。
【００３８】
図５に示すように、上記凹部１３の底部１３ｃには戻り防止部１７が突設されており、接続部３０を溝３０ａ回りに折り曲げて嵌入部３１を凹部１３内に進入させる過程で、係合部３３の先端部が弾性変形させられつつ戻り防止部１７を乗り越えるようになっている。
【００３９】
具体的に説明すると、係合部３３の先端部において、径方向の内側の角部が面取りされており、嵌入部３１を溝３０ａ回りに回動させて凹部１３内に進入させる際、係合部３３が戻り防止部１７を引っ掛かり少なく乗り越えるようになっている。これに対して、係合部３３の先端部における径方向外側の角部は、縦断面視でほぼ直角に形成されていて面取りされていないため、係合部３３が溝３０ａ回りに回動して凹部１３内から外れようとしても、戻り防止部１７に係合するようになっている。
【００４０】
図１から図３に示されるように、外蓋４は、容器本体１に接続されており、中蓋２及び規制部材３を覆う蓋部材である。図１から図３では、外蓋４が閉じられた状態が示されている。図２において、外蓋４が開けられた状態を二点鎖線で示している。また、図１においては、外蓋４を二点鎖線で示している。外蓋４は、回転軸５を介して容器本体１に連結されている。回転軸５は、上面視矩形状をなす容器本体１の４つの辺部のうちの１つに設けられている。
【００４１】
図２に示すように、容器本体１の前記４つの辺部のうち、容器軸Ｌ１を径方向で挟む回転軸５が設けられた辺部と反対側の辺部には、外蓋４の開閉機構６が設けられている。開閉機構６は、回転フック６０及び軸部材６１を有している。外蓋４は、回転フック６０の上端６２と当接させた状態で閉じられている。この開閉機構６は、回転フック６０の下部を径方向の内側に押圧することで、軸部材６１を中心に回転フック６０が回動するようになっている。回転フック６０が回動して傾斜することで、外蓋４が回転フック６０の上端６２によって押し上げられ、外蓋４が開かれるようになっている。
【００４２】
このように構成されたコンパクト容器ＣＰを用いる場合、外蓋４と中蓋２との間に塗布具Ｐを収納した状態で外蓋４を閉じ、コンパクト容器ＣＰを倒立させる。この動作により、収容部１０内の化粧料が貫通孔２３を通過し、塗布具Ｐに付着する。化粧料を塗布具Ｐに付着させた後は、外蓋４を開け、化粧料の付着した塗布具Ｐを用いれば良い。
【００４３】
例えば収容部１０内の化粧料が消費され補充する必要が生じた場合など、中蓋２を開ける場合がある。この場合、規制部材３による移動規制を解除する必要がある。このような場合には、例えば容器本体１の底面１ｂ側から孔部１６内を見ると、凸部１５と係合する係合部３３が見える。そこで、例えば孔部１６の内径よりも小さい外径を有する不図示の挿入部材を当該孔部１６に挿入し、嵌入部３１を上側へ押し込むことで、係合部３３と凸部１５との間の係合を外す。
【００４４】
挿入部材などの外力によって押し込まれた係合部３３は、戻り防止部１７を乗り越えて凹部１３の外部へ押し出されることになる。このように、嵌入部３１を凹部１３から押し出すことにより、規制部材３による移動規制が解除される。その後は、中蓋２を周方向に回転させて容器本体１との螺合を外せばよい。中蓋２を閉める場合には、まず中蓋２と容器本体１とを螺合させ、その後規制部材３の嵌入部３１を容器本体１の凹部１３に嵌入させれば良い。
【００４５】
以上のように、本実施形態によれば、容器本体１と中蓋２とが螺合によって固定される構成になっているため、中蓋２の取り付け時には、圧入する必要が無い。これにより、収容部１０内の気圧が急激に高められるのを回避することができるため、収容部１０から収容部１０の外へ抜ける気流の発生を抑制することができる。これにより、収容部１０内にパウダーなどの粉状体が収容されている場合であっても、当該粉状体が巻き上げられて飛散するのを回避することができる。
【００４６】
加えて、本実施形態によれば、規制部材３の嵌入部３１が凹部１３に嵌入されている状態において、当該規制部材３によって中蓋２と容器本体１との間における周方向への相対的な回転移動が規制されるため、螺合された状態が維持されることとなり、螺合状態の緩みを抑制することができる。これにより、中蓋２と容器本体１とを確実に固定することができる。
【００４７】
なお、本実施形態では、嵌入部３１と凹部１３との間が係合された状態において、嵌入部３１の側面３１ｓが凹部１３の側面１３ｓに当接する構成、及び、係合部３３において径方向の内側を向く面に凸部１５が係合される凹部が形成された構成、の両方の構成を備えた形態を説明したが、これら両者のうち少なくとも一方の構成を備えている形態であればよい。
【００４８】
［第２実施形態］  
次に、本発明の第２実施形態を説明する。  
本実施形態では、規制部材の構成及び容器本体の縁部の構成が第１実施形態とは異なっているため、当該相違点を中心に説明する。また、当該相違点以外の構成要素については、第１実施形態と同一の構成となっている。第１実施形態と同一の構成要素については、当該第１実施形態と同一の符号を付し、その説明を省略あるいは簡略化する。
【００４９】
図６は、本実施形態に係るコンパクト容器ＣＰ２の構成を示す平面図である。図７は、コンパクト容器ＣＰ２の縁部１１２の構成を拡大して示す図である。図８は、図７におけるＤ−Ｄ断面に沿った構成を示す図である。
【００５０】
図６から図８に示すように、コンパクト容器ＣＰ２の規制部材１０３は、接続部１３０、本体部１３１及び嵌入部１３２を有している。接続部１３０は、中蓋側接続部２１の外面２１ａの下端部から径方向の外側に向けて、弾性変形可能に延設されている。本体部１３１の平面視形状は角部が凸曲線を呈する矩形状となっている。本体部１３１の上面は、平坦に形成されている。嵌入部１３２は、本体部１３１の下面に突設されている。嵌入部１３２において径方向の外側を向く面１３２ａの平面視形状は波形形状となっている。
【００５１】
容器本体１の縁部１１２には、凹部１１３が形成されている。凹部１１３の径方向の外側の面１１３ａは、嵌入部１３２の前記面１３２ａに対応する波形に形成されている。嵌入部１３２を凹部１１３に嵌入させた状態で、嵌入部１３２の前記面１３２ａと凹部１１３の前記面１１３ａとが係合する。
このため、嵌入部１３２および凹部１１３の相対的な周方向の移動が規制されるようになっており、前記実施形態と同様の作用効果が奏功される。
【００５２】
本発明の技術範囲は上記実施形態に限定されるものではなく、本発明の趣旨を逸脱しない範囲で適宜変更を加えることができる。  
上記各実施形態において、嵌入部の形状及び凹部の形状は、上記に挙げた例に限られることは無く、嵌入部と凹部とが係合する形状であれば、他の形状としても構わない。
【００５３】
また、上記実施形態においては、外蓋４が容器本体１に対して回転軸５を介して連結されている構成を例に挙げて説明したが、これに限られることは無く、例えば外蓋４を容器本体１に対して取り外すことができる構成としても構わない。
【００５４】
また、例えば中蓋２の底部２０ｃ上に、貫通孔２３を覆うようにシートを貼り付け、当該シート上に塗布具Ｐを配置する構成としても構わない。この場合、貼り付けたシートによって当該貫通孔２３を閉塞させることができる。
【符号の説明】
【００５５】
ＣＰ、ＣＰ２…コンパクト容器
１…容器本体
２…中蓋
３、１０３…規制部材
４…外蓋
１０…収容部
１０ａ…開口
１１ｃ、２１ｃ…ネジ山
１２、１１２…縁部
１３、１１３…凹部
２３…貫通孔
３０、１３０…接続部
３１、１３２…嵌入部
３２…当接部
３３…係合部
【図１】
2010273977.tif 000003
【図２】
2010273977.tif 000004
【図３】
2010273977.tif 000005
【図４】
2010273977.tif 000006
【図５】
2010273977.tif 000007
【図６】
2010273977.tif 000008
【図７】
2010273977.tif 000009
【図８】
2010273977.tif 000010